(57)【要約】【課題】簡単な作業で、片面を使用した洗浄布の未使用の面も使用することができる印刷機のドラム洗浄装置を提供する。【解決手段】筒状に巻回された洗浄布12を装着する洗浄布供給部17を設ける。洗浄布供給部17から供給する洗浄布12をブランケット胴11に接触させる洗浄部18を設ける。洗浄部18を通過した洗浄布12を巻取軸19に巻き取る洗浄布巻取部20を設ける。巻取軸19は、軸方向の両端に軸部24を有するとともに一端の軸部24が回転駆動力を伝達可能な形状に設けられている。洗浄布供給部17に、洗浄布12を巻き取り終えて洗浄布巻取部20から外される巻取軸19の両端の軸部24を着脱可能とする軸受部を設ける。【選択図】図１
2013018183.tif 000002
【特許請求の範囲】
【請求項１】
筒状に巻回された洗浄布が装着される洗浄布供給部と、
この洗浄布供給部から供給する洗浄布を印刷機のドラムに接触させる洗浄部と、
軸方向の両端に軸部を有するとともに少なくとも一端の軸部が回転駆動力を伝達可能な形状に設けられている巻取軸の両端の軸部が着脱可能に取り付けられ、取り付けられた前記巻取軸に回転駆動力を伝達して前記巻取軸を回転させ、前記洗浄部を通過した洗浄布を前記巻取軸に巻き取る洗浄布巻取部と、
前記洗浄布供給部に設けられ、前記洗浄布を巻き取り終えて前記洗浄布巻取部から外される前記巻取軸の両端の軸部を着脱可能とし、前記洗浄布供給部に前記巻取軸を回転可能に支持する軸受部と
を具備していることを特徴とする印刷機のドラム洗浄装置。
【請求項２】
前記洗浄布供給部は、前記筒状に巻回された洗浄布が装着可能に上方へ向けて開口形成されているとともに両端に前記筒状に巻回された洗浄布の両端が対向する側板部が設けられた容器を有し、この容器の両側板部に前記軸受部が内設されている
ことを特徴とする請求項１記載の印刷機のドラム洗浄装置。
【請求項３】
前記洗浄布供給部の軸受部の中心と前記容器における前記洗浄布の外周面が対向する内面との間の最短距離は、前記巻取軸の中心から前記巻取軸に巻き取った前記洗浄布の外周面までの半径以上の距離である
ことを特徴とする請求項１または２記載の印刷機のドラム洗浄装置。
【請求項４】
前記巻取軸の回転駆動力を伝達可能な軸部の形状は多角形であり、
前記軸受部は、前記多角形の軸部が嵌まり込む多角形の軸受孔を有している
ことを特徴とする請求項１ないし３いずれか一記載の印刷機のドラム洗浄装置。
【発明の詳細な説明】
【技術分野】
【０００１】
本発明は、洗浄布を用いて印刷機のドラムを洗浄するドラム洗浄装置に関する。
【背景技術】
【０００２】
従来、印刷機のドラム洗浄装置は、印刷機のブランケット胴や圧胴などのドラムの周面に対して洗浄液を含浸させた洗浄布を接触させ、これらドラムと洗浄布との相対的な移動により、ドラムのインクや紙粉などの汚れを取り除いている。
【０００３】
このドラム洗浄装置では、巻管に巻いた両面未使用の洗浄布が装着され、その巻管から巻き戻して引き出した洗浄布の片面をドラムに接触させて洗浄し、片面を使用した洗浄布を巻取軸に巻き取っている。また、片面を使用した洗浄布を全て巻取軸に巻き取り終えたら、巻取軸をドラム洗浄装置から外し、この巻取軸から洗浄布を外した後、その洗浄布を外した巻取軸をドラム洗浄装置に再装着し、次にドラム洗浄装置に装着される両面未使用の洗浄布の巻き取りを可能としている（例えば、特許文献１参照。）。
【先行技術文献】
【特許文献】
【０００４】
【特許文献１】特開２００７−２８３５２２号公報
【発明の概要】
【発明が解決しようとする課題】
【０００５】
従来、洗浄布を用いて印刷機のドラムを洗浄するドラム洗浄装置は、一般に、洗浄布の片面のみの使用を前提としているため、片面を使用した洗浄布を巻取軸に全て巻き取り終えたら、その洗浄布を巻取軸から外してしまい、洗浄布の未使用の面は使用しないことが多い。これは、洗浄布の未使用の面も使用しようとすると、洗浄布を巻取軸から巻き戻さなければならないことで、労力のかかる作業が必要となるためである。
【０００６】
本発明は、このような点に鑑みなされたもので、簡単な作業で、片面を使用した洗浄布の未使用の面も使用することができる印刷機のドラム洗浄装置を提供することを目的とする。
【課題を解決するための手段】
【０００７】
請求項１記載の印刷機のドラム洗浄装置は、筒状に巻回された洗浄布が装着される洗浄布供給部と、この洗浄布供給部から供給する洗浄布を印刷機のドラムに接触させる洗浄部と、軸方向の両端に軸部を有するとともに少なくとも一端の軸部が回転駆動力を伝達可能な形状に設けられている巻取軸の両端の軸部が着脱可能に取り付けられ、取り付けられた前記巻取軸に回転駆動力を伝達して前記巻取軸を回転させ、前記洗浄部を通過した洗浄布を前記巻取軸に巻き取る洗浄布巻取部と、前記洗浄布供給部に設けられ、前記洗浄布を巻き取り終えて前記洗浄布巻取部から外される前記巻取軸の両端の軸部を着脱可能とし、前記洗浄布供給部に前記巻取軸を回転可能に支持する軸受部とを具備しているものである。
【０００８】
請求項２記載の印刷機のドラム洗浄装置は、請求項１記載の印刷機のドラム洗浄装置において、前記洗浄布供給部は、前記筒状に巻回された洗浄布が装着可能に上方へ向けて開口形成されているとともに両端に前記筒状に巻回された洗浄布の両端が対向する側板部が設けられた容器を有し、この容器の両側板部に前記軸受部が内設されているものである。
【０００９】
請求項３記載の印刷機のドラム洗浄装置は、請求項１または２記載の印刷機のドラム洗浄装置において、前記洗浄布供給部の軸受部の中心と前記容器における前記洗浄布の外周面が対向する内面との間の最短距離は、前記巻取軸の中心から前記巻取軸に巻き取った前記洗浄布の外周面までの半径以上の距離であるものである。
【００１０】
請求項４記載の印刷機のドラム洗浄装置は、請求項１ないし３いずれか一記載の印刷機のドラム洗浄装置において、前記巻取軸の回転駆動力を伝達可能な軸部の形状は多角形であり、前記軸受部は、前記多角形の軸部が嵌まり込む多角形の軸受孔を有しているものである。
【発明の効果】
【００１１】
請求項１記載の印刷機のドラム洗浄装置によれば、片面を使用した洗浄布を巻き取り終えた巻取軸を洗浄布巻取部から外し、この巻取軸を洗浄布供給部の軸受部に取り付けることができるため、簡単な作業で、片面を使用した洗浄布の未使用の面も使用することができる。
【００１２】
請求項２記載の印刷機のドラム洗浄装置によれば、請求項１記載の印刷機のドラム洗浄装置の効果に加えて、洗浄布供給部を構成する容器の両側の側板部に軸受部を内設するため、軸受部を設けても大形化することがなく、従来の設置スペースに容器を設置することができる。
【００１３】
請求項３記載の印刷機のドラム洗浄装置によれば、請求項１または２記載の印刷機のドラム洗浄装置の効果に加えて、洗浄布供給部の軸受部の中心と容器における洗浄布の外周面が対向する内面との間の最短距離を、巻取軸の中心から巻取軸に巻き取り終えた洗浄布の外周面までの半径以上の距離としているため、洗浄布を巻き取った巻取軸を洗浄布供給部の軸受部に確実に装着して洗浄布を供給することができる。
【００１４】
請求項４記載の印刷機のドラム洗浄装置によれば、請求項１ないし３いずれか一記載の印刷機のドラム洗浄装置の効果に加えて、巻取軸の回転駆動力を伝達可能な軸部の形状が多角形であっても、軸受部が巻取軸の多角形の軸部が嵌まり込む多角形の軸受孔を有するため、巻取軸を確実に軸受できる。
【図面の簡単な説明】
【００１５】
【図１】一実施の形態を示す印刷機のドラム洗浄装置を示し、(a)は両面未使用の洗浄布を洗浄布供給部に装着した断面図、(b)は片面を使用した洗浄布を巻取軸に巻き取った断面図、(c)は片面を使用した洗浄布を巻き取った巻取軸を洗浄布供給部に装着した断面図である。
【図２】同上洗浄布供給部の断面図である。
【図３】同上洗浄布供給部の平面図である。
【図４】同上軸受部を示し、(a)は差込装着側の軸受部の正面図、(b)はスライド装着側の軸受部の正面図である。
【図５】同上巻取軸を示し、(a)は巻取軸の正面図、(b)は巻取軸の差込装着側の軸部の端面図、(c)は巻取軸のスライド装着側の軸部の端面図である。
【発明を実施するための形態】
【００１６】
以下、一実施の形態を、図面を参照して説明する。
【００１７】
図１において、10はドラム洗浄装置で、このドラム洗浄装置10は、印刷機のブランケット胴や圧胴などのドラムの外周面に付着したインキや紙粉等の汚れを除去するものである。本実施の形態のドラム洗浄装置10では、ドラムとしてのブランケット胴11を洗浄するものとする。
【００１８】
ドラム洗浄装置10では、洗浄布12を用いてブランケット胴11を洗浄する。この洗浄布12は、例えば不織布で、所定の長さに帯状に形成されているとともに、ブランケット胴11の軸方向長さ寸法に対応した幅寸法に形成されている。そして、洗浄布12は、両面未使用の状態で、円筒状の巻管13に巻回されている。なお、洗浄布12には、洗浄液が予め含浸されている。
【００１９】
ドラム洗浄装置10は、洗浄布12を装着する洗浄ユニット16を備え、この洗浄ユニット16がブランケット胴11に対して接離する方向に移動可能に図示しないフレームに支持されている。
【００２０】
洗浄ユニット16には、筒状に巻回された洗浄布12が装着される洗浄布供給部17、この洗浄布供給部17から供給される洗浄布12をブランケット胴11に接触させて洗浄する洗浄部18、およびこの洗浄部18を通過した洗浄布12を巻取軸19に巻き取る洗浄布巻取部20を備えている。
【００２１】
図５に示すように、巻取軸19は、円筒状の巻取部23、およびこの巻取部23の両端に突設された軸部24，25を有している。
【００２２】
巻取部23は、周面の一部が面取りされた断面略Ｄ字形の軸本体26、および周面の一部が開口された断面略Ｃ字形の筒部材27を有し、軸本体26の外周に筒部材27が周方向に移動可能に取り付けられている。そして、軸本体26の面取部と筒部材27の開口部とがずれている状態で径大状態となり、この径大状態で洗浄布12を巻き取り、また、軸本体26の面取部と筒部材27の開口部とが一致する状態に総体的に移動させることで径小状態となり、この径小状態で巻き取った洗浄布12を巻取軸19の軸方向に移動させて巻取軸19から容易に取り外せるようしている。
【００２３】
両端の軸部24，25のうち、一端は軸受部に対して差し込んで装着する差込装着側の軸部24であり、他端は軸受部に対して軸方向に直交する方向からスライドさせて装着するスライド装着側の軸部25である。差込装着側の軸部24は、回転駆動力を伝達可能な形状に形成されており、本実施の形態では四角形に形成されている。回転駆動力を伝達可能な形状としては、六角形や八角形などの多角形であればよく、さらに、この多角形には円柱の一部を面取りした断面略Ｄ字形なども含まれるものとする。また、スライド装着側の軸部25は、巻取軸19の中心を通る軸方向に直交する直線に平行な平板状に形成されている。
【００２４】
また、図１ないし図３に示すように、洗浄布供給部17は、筒状に巻回された洗浄布12が装着される容器30を備えている。この容器30は、上方に向けて拡開開口された形状の受皿部31、およびこの両端を閉塞する側板部32，33を有し、上面を開口した受皿状に形成されている。容器30には、受皿部31に筒状に巻回された洗浄布12の外周面が対向し、側板部32，33に筒状に巻回された洗浄布12の両端が対向する状態に、筒状に巻回された洗浄布12が装着される。そして、容器30内には洗浄布12から染み出した洗浄液を貯留することができる。
【００２５】
巻管13に巻回された両面未使用の洗浄布12については、受皿部31の内面に載置されるだけで、洗浄布12が引き出されて巻管13から巻き戻される際に、容器30内で自由に回転するのが許容されている。
【００２６】
両側の側板部32，33には、洗浄布12を巻き取り終えて洗浄布巻取部20から外された巻取軸19を洗浄布供給部17に装着するための軸受部34，35が内設されている。両側の軸受部34，35のうち、一側は巻取軸19の差込装着側の軸部24を軸受けする差込装着側の軸受部34であり、他側は巻取軸19のスライド装着側の軸部25を軸受けするスライド装着側の軸受部35である。
【００２７】
これら軸受部34，35は、円筒状に形成されており、側板部32，33の内面側に形成された円筒状の孔部36に回転可能に配置されている。軸受部34，35には側板部32，33の外面側から回転可能な取付部材37が連結され、軸受部34，35が側板部32，33に対して抜け止めされた状態で回転可能に取り付けられている。したがって、軸受部34，35は、容器30の側板部32，33に、その側板部32，33の幅内に埋め込まれた状態で回転可能に内設されている。
【００２８】
差込装着側の軸受部34には、図４(a)に示すように、巻取軸19の四角形の軸部24が差し込まれて嵌め込まれる四角形の軸受孔38が形成されている。なお、軸受孔38の孔形状は、上述した軸部24の形状に対応して多角形に形成されていればよい。
【００２９】
スライド装着側の軸受部35には、図４(b)に示すように、巻取軸19の平板状の軸部25が軸方向に対して直交する径方向から差し込まれる軸受溝39が形成されている。また、側板部33の上面部には、孔部36に連通して巻取軸19の平板状の軸部25が通過可能とする着脱溝40が形成されている。
【００３０】
そして、軸受部34，35は、洗浄布12を巻き取り終えて洗浄布巻取部20から外される巻取軸19の両端の軸部24，25を着脱可能とし、洗浄布供給部17に巻取軸19を回転可能に支持する。なお、軸受部34，35の中心と容器30における洗浄布12の外周面が対向する受皿部31の内面との間の最短距離は、巻取軸19の中心から巻取軸19に巻き取った洗浄布12の外周面までの半径以上の距離とされている。
【００３１】
また、図１に示すように、洗浄部18は、洗浄布12をブランケット胴11に押し付ける圧着パッド43、およびこの圧着パッド43を支持した支持部44を備えている。
【００３２】
また、洗浄布巻取部20は、洗浄部18を通過した洗浄布12を巻き取る巻取軸19、この巻取軸19を軸受けする図示しない軸受部、およびこの軸受部に軸受された巻取軸19を巻取方向に回動させる図示しない駆動機構を備えている。
【００３３】
軸受部は、洗浄布供給部17で説明した差込装着側の軸受部34およびスライド装着側の軸受部35と同じ構成に形成され、巻取軸19の両端の軸部24，25を着脱可能としている。
【００３４】
駆動機構は、例えば、エアシリンダを用い、このエアシリンダの直線運動を回転運動に変換し、この回転運動を差込装着側の軸受部を介して巻取軸19の差込装着側の軸部24に伝達し、巻取軸19を巻取方向に回転させるように構成されている。
【００３５】
次に、ドラム洗浄装置10の動作を説明する。
【００３６】
図１(a)に示すように、ドラム洗浄装置10の準備では、巻管13に巻回された両面未使用の洗浄布12を洗浄布供給部17の容器30内に落とし込んで載置し、巻管13から引き出した洗浄布12の先端を、洗浄部18を通じて洗浄布巻取部20に装着されている巻取軸19に巻き付けて取り付ける。この洗浄布12には予め洗浄液が含浸されている。
【００３７】
ドラム洗浄装置10による洗浄処理時には、洗浄ユニット16をブランケット胴11に接近移動させ、洗浄部18で洗浄布12の片面をブランケット胴11に押圧接触させる。このとき、ブランケット胴11は回転しており、ブランケット胴11と洗浄布12との相対的な移動によって、ブランケット胴11の汚れを洗浄布12の片面で取り除いてブランケット胴11を洗浄する。
【００３８】
さらに、洗浄布巻取部20では巻取軸19に洗浄布12を巻き取り、洗浄布12の片面の使用済み部分を洗浄部18から排出させるとともに未使用部分を洗浄部18に供給し、ブランケット胴11を確実に洗浄する。
【００３９】
そして、図１(b)に示すように、ドラム洗浄装置10による洗浄処理の経過に伴い、洗浄布供給部17に装着した洗浄布12の片面を使用し終われば、洗浄ユニット16をブランケット胴11から離反移動させ、洗浄布12を巻取軸19に完全に巻き取り、洗浄布12を巻き取り終えた巻取軸19を洗浄布巻取部20から取り外し、また、巻管13を洗浄布供給部17の容器30内から取り除く。
【００４０】
図１(c)に示すように、片面未使用（片面使用済み）の洗浄布12を巻き取り終えて洗浄布巻取部20から外された巻取軸19を、その洗浄布12の巻回状態のまま、洗浄布供給部17の容器30に装着する。すなわち、まず、巻取軸19の差込装着側の軸部24を容器30の一側の側板部32に設けられている差込装着側の軸受部34の軸受孔38に差し込み、その後、巻取軸19のスライド装着側の軸部25を容器30の他側の側板部33に設けられている着脱溝40を通じてスライド装着側の軸受部35の軸受溝39に軸方向に対して直交する方向から挿入する。
【００４１】
洗浄布巻取部20には、洗浄布12が巻回されていない別の巻取軸19を装着する。このときも、洗浄布供給部17の軸受部34，35に装着するのと同様に、洗浄布巻取部20の軸受部に巻取軸19を装着する。
【００４２】
洗浄布供給部17に装着された巻取軸19から引き出した片面未使用の洗浄布12の先端を、洗浄布12の未使用面がブランケット胴11に対向する向きとし、洗浄部18を通じて洗浄布巻取部20の巻取軸19に巻き付けて取り付ける。
【００４３】
なお、片面使用済みの洗浄布12に含浸する洗浄液が不足する場合には、洗浄布供給部17に装着された洗浄布12に洗浄液を補給してもよい。このとき、洗浄液が洗浄布12が垂れ落ちたとしても容器30内に受け止め、印刷機側に垂れ落ちるのを防止できる。
【００４４】
その後は、上述したようなドラム洗浄装置10による洗浄処理により、洗浄布12の未使用面を使用してブランケット胴11を洗浄する。
【００４５】
そして、ドラム洗浄装置10による洗浄処理の経過に伴い、洗浄布供給部17に装着した洗浄布12の未使用面を使用し終われば、つまり洗浄布12の両面を使用し終われば、洗浄ユニット16をブランケット胴11から離反移動させ、洗浄布12を巻取軸19に完全に巻き取り、洗浄布12を巻き取り終えた巻取軸19を洗浄布巻取部20から取り外し、また、洗浄布供給部17から巻取軸19を取り外す。
【００４６】
洗浄布供給部17から巻取軸19を取り外すには、まず、巻取軸19のスライド装着側の軸部25の向きを容器30の他側の側板部33に設けられている着脱溝40に合わせ、その軸部25を着脱溝40を通じて軸方向に直交する方向である上方へ抜き外し、その後、巻取軸19の差込装着側の軸部24を容器30の一側の側板部32に設けられている差込装着側の軸受部34の軸受孔38から抜き外す。なお、洗浄布巻取部20から巻取軸19を取り外すのも同様である。
【００４７】
両面使用済みの洗浄布12は、巻取軸19から取り外し、所定の処理をする。
【００４８】
その後、上述したように、巻管13に巻回された両面未使用の洗浄布12を洗浄布供給部17に装着し、洗浄布12が巻回されていない巻取軸19を洗浄布巻取部20に装着し、洗浄処理を行う。
【００４９】
以上のように、ドラム洗浄装置10によれば、片面を使用した洗浄布12を巻き取り終えた巻取軸19を洗浄布巻取部20から外し、この巻取軸19を洗浄布供給部17の軸受部34，35に取り付けることができるため、簡単な作業で、片面を使用した洗浄布12の未使用の面も使用することができる。
【００５０】
さらに、洗浄布供給部17を構成する容器30の両側の側板部32，33に軸受部34，35を内設するため、軸受部34，35を設けても大形化することがなく、従来の設置スペースに容器30を設置することができる。
【００５１】
また、洗浄布供給部17の軸受部34，35の中心と容器30における洗浄布12の外周面が対向する内面との間の最短距離を、巻取軸19の中心から巻取軸19に巻き取り終えた片面未使用の洗浄布12の外周面までの半径以上の距離としているため、洗浄布12を巻き取った巻取軸19を洗浄布供給部17の軸受部34，35に確実に装着して洗浄布12を供給することができる。
【００５２】
また、巻取軸19の回転駆動力を伝達可能な軸部24の形状が多角形であっても、軸受部34が巻取軸19の多角形の軸部24が嵌まり込む多角形の軸受孔38を有するため、巻取軸19を確実に軸受できる。
【符号の説明】
【００５３】
10    ドラム洗浄装置
11    ドラムとしてのブランケット胴
12    洗浄布
17    洗浄布供給部
18    洗浄部
19    巻取軸
20    洗浄布巻取部
24，25    軸部
30    容器
32，33    側板部
34，35    軸受部
38    軸受孔
【図１】
2013018183.tif 000003
【図２】
2013018183.tif 000004
【図３】
2013018183.tif 000005
【図４】
2013018183.tif 000006
【図５】
2013018183.tif 000007